(57)【要約】【課題】音声通話中にサービスに妨害を与えることなく送話者エコーの品質を定量的に簡単に測定する。【解決手段】エコー品質測定装置１は、ＩＰ電話端末装置２から送信された送話パケットとＩＰ電話端末装置３から送信された受話パケットから音声信号を復号する信号取込部１０と、送話パケットから取り出された送話音声信号と受話パケットから取り出された受話音声信号から、受話音声信号に含まれるエコー信号を推定するエコーキャンセラーアルゴリズム部１１及びエコー信号推定部１２と、送話音声信号がＩＰ電話端末装置３を経由してエコーとして戻ってくるまでの遅延時間を計算する遅延時間計算部１３と、送話音声信号と推定されたエコー信号とのパワー比を計算するパワー比計算部１４と、遅延時間とパワー比からエコー品質を計算するエコー品質計算部１５とを備える。【選択図】  図１
2007329630.tif 000002
【特許請求の範囲】
【請求項１】
ネットワークで接続された音声通信端末装置間において音声通話の送話者エコー品質を推定するエコー品質測定装置であって、
送話側の音声通信端末装置から送信された送話パケットと受話側の音声通信端末装置から送信された受話パケットとからそれぞれ音声信号を復号する復号手段と、
前記送話パケットから取り出された送話音声信号と前記受話パケットから取り出された受話音声信号とから、前記受話音声信号に含まれるエコー信号を推定する推定手段と、
前記送話音声信号が前記受話側の音声通信端末装置を経由してエコーとして戻ってくるまでの遅延時間を計算する遅延時間計算手段と、
前記送話音声信号と前記推定されたエコー信号とのパワー比を計算するパワー比計算手段と、
前記遅延時間と前記パワー比とからエコー品質を計算するエコー品質計算手段とを備えることを特徴とするエコー品質測定装置。
【請求項２】
請求項１に記載のエコー品質測定装置において、
さらに、前記計算されたエコー品質の値を含むパケットを作成して、このパケットを品質管理端末装置に送信する通知手段を備えることを特徴とするエコー品質測定装置。
【請求項３】
ネットワークで接続された音声通信端末装置間において音声通話の送話者エコー品質を推定するエコー品質測定装置と、前記送話者エコー品質を管理する品質管理端末装置とから構成されるエコー品質測定システムであって、
前記エコー品質測定装置は、
送話側の音声通信端末装置から送信された送話パケットと受話側の音声通信端末装置から送信された受話パケットとからそれぞれ音声信号を復号する復号手段と、
前記送話パケットから取り出された送話音声信号と前記受話パケットから取り出された受話音声信号とから、前記受話音声信号に含まれるエコー信号を推定する推定手段と、
前記送話音声信号が前記受話側の音声通信端末装置を経由してエコーとして戻ってくるまでの遅延時間を計算する遅延時間計算手段と、
前記送話音声信号と前記推定されたエコー信号とのパワー比を計算するパワー比計算手段と、
前記遅延時間と前記パワー比とからエコー品質を計算するエコー品質計算手段と、
前記計算されたエコー品質の値を含むパケットを作成して、このパケットを品質管理端末装置に送信する通知手段とを備え、
前記品質管理端末装置は、
前記エコー品質測定装置から送信されたパケットに含まれるエコー品質の値を表示する表示手段を備えることを特徴とするエコー品質測定システム。
【請求項４】
ネットワークで接続された音声通信端末装置間において音声通話の送話者エコー品質を推定するエコー品質測定方法であって、
送話側の音声通信端末装置から送信された送話パケットと受話側の音声通信端末装置から送信された受話パケットとからそれぞれ音声信号を復号する復号手順と、
前記送話パケットから取り出された送話音声信号と前記受話パケットから取り出された受話音声信号とから、前記受話音声信号に含まれるエコー信号を推定する推定手順と、
前記送話音声信号が前記受話側の音声通信端末装置を経由してエコーとして戻ってくるまでの遅延時間を計算する遅延時間計算手順と、
前記送話音声信号と前記推定されたエコー信号とのパワー比を計算するパワー比計算手順と、
前記遅延時間と前記パワー比とからエコー品質を計算するエコー品質計算手順とを備えることを特徴とするエコー品質測定方法。
【請求項５】
請求項４に記載のエコー品質測定方法において、
さらに、前記計算されたエコー品質の値を含むパケットを作成して、このパケットを品質管理端末装置に送信する通知手順を備えることを特徴とするエコー品質測定方法。
【請求項６】
ネットワークで接続された音声通信端末装置間において音声通話の送話者エコー品質を推定するエコー品質測定装置が、
送話側の音声通信端末装置から送信された送話パケットと受話側の音声通信端末装置から送信された受話パケットとからそれぞれ音声信号を復号する復号手順と、
前記送話パケットから取り出された送話音声信号と前記受話パケットから取り出された受話音声信号とから、前記受話音声信号に含まれるエコー信号を推定する推定手順と、
前記送話音声信号が前記受話側の音声通信端末装置を経由してエコーとして戻ってくるまでの遅延時間を計算する遅延時間計算手順と、
前記送話音声信号と前記推定されたエコー信号とのパワー比を計算するパワー比計算手順と、
前記遅延時間と前記パワー比とからエコー品質を計算するエコー品質計算手順と、
前記計算されたエコー品質の値を含むパケットを作成して、このパケットを品質管理端末装置に送信する通知手順とを実行し、
前記品質管理端末装置が、
前記エコー品質測定装置から送信されたパケットに含まれるエコー品質の値を表示する表示手順を実行することを特徴とするエコー品質測定方法。
【請求項７】
ネットワークで接続された音声通信端末装置間において音声通話の送話者エコー品質を推定するエコー品質測定装置としてコンピュータを動作させるエコー品質測定プログラムであって、
送話側の音声通信端末装置から送信された送話パケットと受話側の音声通信端末装置から送信された受話パケットとからそれぞれ音声信号を復号する復号手順と、
前記送話パケットから取り出された送話音声信号と前記受話パケットから取り出された受話音声信号とから、前記受話音声信号に含まれるエコー信号を推定する推定手順と、
前記送話音声信号が前記受話側の音声通信端末装置を経由してエコーとして戻ってくるまでの遅延時間を計算する遅延時間計算手順と、
前記送話音声信号と前記推定されたエコー信号とのパワー比を計算するパワー比計算手順と、
前記遅延時間と前記パワー比とからエコー品質を計算するエコー品質計算手順とをコンピュータに実行させることを特徴とするエコー品質測定プログラム。
【請求項８】
請求項７に記載のエコー品質測定プログラムにおいて、
さらに、前記計算されたエコー品質の値を含むパケットを作成して、このパケットを品質管理端末装置に送信する通知手順をコンピュータに実行させることを特徴とするエコー品質測定プログラム。
【発明の詳細な説明】
【技術分野】
【０００１】
本発明は、固定・移動通信ネットワーク及びインターネットプロトコルを利用したネットワーク上の音声通話サービスにおいて、ユーザの通話中にサービスを中断・妨害することなく送話者エコー品質を測定するエコー品質測定装置、システム、方法およびプログラムに関するものである。
【背景技術】
【０００２】
ＩＰ（Internet Protocol ）ネットワーク上で電話サービスを実現するＩＰ電話が普及している。ＩＰ電話では、送話側での音声信号のパケット化処理、受話側でのデパケット化処理や、パケット到着揺らぎを吸収するパケット揺らぎ吸収バッファによるバッファリング処理のために、従来の電話サービスよりも送話者から受話者まで音声信号が届く時間（遅延時間）が長くなる。
【０００３】
ＩＰ電話において２線電話機を用いた場合、２線アナログ信号をディジタルパケット信号に変換する装置（ＶｏＩＰ−ＴＡ：Voice over IP Terminal Adapter）において、２線−４線（２ｗ−４ｗ）アナログ信号変換のハイブリッド回路が挿入されている。一般的にこの２ｗ−４ｗ変換処理において受信パスから送信パスヘ電気的に信号が漏出し、受信信号が送話者に戻る「回線エコー」が生じる。また、複数人が参加できる電話会議端末や携帯電話機に適用されているマイクロフォンと拡声スピーカを使用したハンズフリー通信では、拡声スピーカから出力された音声信号がマイクロフォンで収音されることにより音響エコーが生じる。これらの回線エコーや音響エコーは、音声信号の遅延時間が十分短ければ、音声によってマスクされるため、通話への妨害感はないが、ＩＰ電話の場合、上記の通り音声信号の遅延時間が長いために、エコーが通話の妨害となる場合が多い。
【０００４】
このため、ＩＰ電話端末やハンズフリー電話端末ではエコーキャンセラ機能を備える場合が多い（例えば、非特許文献１参照）。そして、エコー量の測定法としては、例えば非特許文献２に開示されているように、サービスを中断した上で特別な機器と信号を準備し測定系を構築して実施する方法がある。
【０００５】
ＩＰネットワークは、必ずしも品質が保証されないため、ＩＰ電話サービス事業者は、利用者に対して一定の品質を提供するために、サービス提供中に品質監視・管理を行わなければならない。ＩＰ電話サービスの品質監視・管理技術として、ＩＰネットワーク伝送品質（ＩＰパケット損失率、ＩＰパケット遅延時間、ＩＰパケット遅延時間揺らぎ）を測定する技術や機器が開発販売されている。
また、利用者が通話中にサービスを中断したり妨害したりすることなく通話の品質を測定する装置に関し、測定すべき項目については非特許文献３に開示されている。
【０００６】
ＩＰ電話サービスの提供者は、利用者に対して通話の妨害感が少ないサービスを提供するために、ある時点でユーザがどのように品質を体感するかを監視・管理する必要があり、こうした技術の開発が望まれている。従来、ＩＰ電話の品質監視・管理を目的とした品質評価技術として、通信ネットワーク上の品質（パケット損失、パケット遅延時間、パケット遅延時間揺らぎなど）を測定し、それらの情報によって通話の品質を推定する監視方法が提案されている（例えば、特許文献１参照）。
【０００７】
【特許文献１】特開２００６−０８０６８３号公報
【非特許文献１】氏家誠，「ＩＰ電話を支える基礎技術」，日経コミュニケーション，日経ＢＰ社，２００５年２月１５日号，ｐ．１１２−１１６
【非特許文献２】「ＩＰ電話の通話品質評価法」，社団法人情報通信技術委員会，ＪＪ−２０１．０１，２００５年６月
【非特許文献３】「サービス中の非割込み測定−音声サービス」，ＩＴＵ−Ｔ勧告Ｐ．５６１，２００２年
【発明の開示】
【発明が解決しようとする課題】
【０００８】
特許文献１に開示された監視方法によれば、ＩＰ電話による通話中（インサービス状態）にサービスに妨害を与えることなく通話品質を評価することができる。しかしながら、通話品質に影響する要因は、ネットワーク品質以外に、音声符号化による歪みや音量、送話者エコーなど端末に起因するものもあり、特許文献１に開示された監視方法のようなネットワーク品質のみによる通話品質の推定では推定精度が不十分という問題点があった。また、音声符号化による歪みや音量は端末設定情報から判断可能であるが、送話者の音声がネットワークと受話側の音声通信端末装置を経由して送話者に戻ってくる送話者エコーの量については、端末設定清報では分からないという事情がある。通話品質に関する要因を規定している非特許文献３では、これらの要因の測定技術については規定しておらず、通話品質に関する要因の測定技術は個々の事業者や装置の製造者に任されている。
【０００９】
一般にエコー量は、通話サービスを中断した上で特別な機器や信号を準備して測定系を構築することで測定可能になるため、インサービス状態でエコー量の測定ができないという問題点があった。また、サービス提供前の開発時においては、上記の実測以外の方法としては聴感上でエコーが感じられないように機器の設定を変えるといった客観性に欠ける手間のかかる方法しかなく、エコー品質の測定に困っているという事情があった。
【００１０】
本発明は、上記課題を解決するためになされたもので、ＩＰ電話等による音声通話中（インサービス状態）に、サービスに妨害を与えることなく、送話者エコーの品質を定量的に簡単に測定する技術を提供することを目的とする。
【課題を解決するための手段】
【００１１】
本発明は、ネットワークで接続された音声通信端末装置間において音声通話の送話者エコー品質を推定するエコー品質測定装置であって、送話側の音声通信端末装置から送信された送話パケットと受話側の音声通信端末装置から送信された受話パケットとからそれぞれ音声信号を復号する復号手段と、前記送話パケットから取り出された送話音声信号と前記受話パケットから取り出された受話音声信号とから、前記受話音声信号に含まれるエコー信号を推定する推定手段と、前記送話音声信号が前記受話側の音声通信端末装置を経由してエコーとして戻ってくるまでの遅延時間を計算する遅延時間計算手段と、前記送話音声信号と前記推定されたエコー信号とのパワー比を計算するパワー比計算手段と、前記遅延時間と前記パワー比とからエコー品質を計算するエコー品質計算手段とを備えるものである。
また、本発明のエコー品質測定装置の１構成例は、さらに、前記計算されたエコー品質の値を含むパケットを作成して、このパケットを品質管理端末装置に送信する通知手段を備えるものである。
また、本発明は、ネットワークで接続された音声通信端末装置間において音声通話の送話者エコー品質を推定するエコー品質測定装置と、前記送話者エコー品質を管理する品質管理端末装置とから構成されるエコー品質測定システムであって、前記エコー品質測定装置は、前記復号手段と、前記推定手段と、前記遅延時間計算手段と、前記パワー比計算手段と、前記エコー品質計算手段と、前記通知手段とを備え、前記品質管理端末装置は、前記エコー品質測定装置から送信されたパケットに含まれるエコー品質の値を表示する表示手段を備えるものである。
【００１２】
また、本発明のエコー品質測定方法は、送話側の音声通信端末装置から送信された送話パケットと受話側の音声通信端末装置から送信された受話パケットとからそれぞれ音声信号を復号する復号手順と、前記送話パケットから取り出された送話音声信号と前記受話パケットから取り出された受話音声信号とから、前記受話音声信号に含まれるエコー信号を推定する推定手順と、前記送話音声信号が前記受話側の音声通信端末装置を経由してエコーとして戻ってくるまでの遅延時間を計算する遅延時間計算手順と、前記送話音声信号と前記推定されたエコー信号とのパワー比を計算するパワー比計算手順と、前記遅延時間と前記パワー比とからエコー品質を計算するエコー品質計算手順とを備えるものである。
また、本発明のエコー品質測定方法の１構成例は、さらに、前記計算されたエコー品質の値を含むパケットを作成して、このパケットを品質管理端末装置に送信する通知手順を備えるものである。
また、本発明のエコー品質測定方法は、エコー品質測定装置が、前記復号手順と、前記推定手順と、前記遅延時間計算手順と、前記パワー比計算手順と、前記エコー品質計算手順と、前記通知手順とを実行し、品質管理端末装置が、前記エコー品質測定装置から送信されたパケットに含まれるエコー品質の値を表示する表示手順を実行するようにしたものである。
【００１３】
また、本発明のエコー品質測定プログラムは、前記復号手順と、前記推定手順と、前記遅延時間計算手順と、前記パワー比計算手順と、前記エコー品質計算手順とをコンピュータに実行させるようにしたものである。
また、本発明のエコー品質測定プログラムの１構成例は、さらに前記通知手順をコンピュータに実行させるようにしたものである。
【発明の効果】
【００１４】
従来、エコー品質は音声通話サービスを中断した上で特別な機器や信号を準備して測定系を構築することによって測定されていたが、本発明によれば、既存のエコーキャンセラーアルゴリズムを利用して音声通話サービス中に送受話パケットから送話者エコー信号を推定し、送話音声信号と推定したエコー信号とのパワー比を計算し、送話音声信号に対するエコー信号の遅延時間とパワー比とからエコー品質を計算するようにしたので、音声通信端末装置を改造することなく、かつ複雑な機器を必要とせずに、送話者が通話中に実感するエコー品質と良く合致した送話者エコー品質を測定することができる。その結果、本発明では、通話サービスを中断したり妨害したりすることなく、送話者が通話中に実感するエコー品質を随時知ることができる。
【００１５】
また、本発明では、計算したエコー品質の値を含むパケットを作成して、このパケットを品質管理端末装置に送信することにより、時々刻々と変化する送話者エコー品質を品質管理端末装置で監視することができる。
【発明を実施するための最良の形態】
【００１６】
以下、本発明の実施の形態について図面を参照して説明する。図１は本発明の実施の形態に係るエコー品質測定システムの構成を示すブロック図である。図１において、１はエコー品質測定装置、２は送話側のＩＰ電話端末装置、３は受話側のＩＰ電話端末装置、４，５はＩＰネットワーク、６は品質管理端末装置である。
【００１７】
エコー品質測定装置１は、信号取込部１０（復号手段）と、エコーキャンセラーアルゴリズム部１１と、エコー信号推定部１２と、遅延時間計算部１３と、パワー比計算部１４と、エコー品質計算部１５と、品質レポートフォーマット作成部１６（通知手段）とを有する。エコーキャンセラーアルゴリズム部１１とエコー信号推定部１２とは、エコー信号を推定する推定手段を構成している。
ＩＰ電話端末装置２は、マイクロフォン２０と、スピーカー２１と、２ｗ−４ｗハイブリッド回路２２と、加算器２３とを有し、ＩＰ電話端末装置３は、マイクロフォン３０と、スピーカー３１と、２ｗ−４ｗハイブリッド回路３２と、加算器３３とを有する。
【００１８】
以下、ＩＰ電話端末装置２，３を用いて通話中である場合のエコー品質測定を例にエコー品質測定システムの動作を説明する。本実施の形態では、エコー品質測定装置１は、ＩＰ電話端末装置２とＩＰネットワーク４との間の、特にＩＰ電話端末装置２に近い位置に配置される。
エコー品質測定装置１は、送話側のＩＰ電話端末装置２から送信される送話ＩＰパケットと、受話側のＩＰ電話端末装置３から送信される受話ＩＰパケットとを入力とする。信号取込部１０は、送話ＩＰパケットと受話ＩＰパケットとを取り込み、それぞれのパケットを分解して音声信号を取り出す。
【００１９】
ここで、送話側のＩＰ電話端末装置２から送信される送話音声信号、すなわち送話ＩＰパケットから取り出される音声信号をｓ（ｔ）とする。受話側のＩＰ電話端末装置３では、受信した音声信号ｓ（ｔ）をスピーカー３１で再生することになるが、このとき２ｗ−４ｗハイブリッド回路３２に起因するエコー信号ｓ^（ｔ）が発生する。ＩＰ電話端末装置３のマイクロフォン３０によって集音される音声信号をｒ（ｔ）とすると、この音声信号ｒ（ｔ）には加算器３３によってエコー信号ｓ^（ｔ）が加えられる。したがって、受話側のＩＰ電話端末装置３から送信される受話音声信号、すなわち受話ＩＰパケットから取り出される音声信号はｓ^（ｔ）＋ｒ（ｔ）となる。
【００２０】
続いて、エコーキャンセラーアルゴリズム部１１は、信号取込部１０から送話音声信号ｓ（ｔ）と受話音声信号ｓ^（ｔ）＋ｒ（ｔ）とが入力されると、周知のエコーキャンセラーアルゴリズムによりエコー信号ｓ^（ｔ）を推定し、受話音声信号ｓ^（ｔ）＋ｒ（ｔ）からエコー信号ｓ^（ｔ）の推定値を差し引いた信号ｒ'（ｔ）を出力する。同時に、エコーキャンセラーアルゴリズム部１１は、送話音声信号ｓ（ｔ）をそのまま出力する。エコーキャンセラーアルゴリズム部１１によるエコー信号の推定には誤差が含まれるため、エコー信号ｓ^（ｔ）の推定値を差し引いた信号ｒ'（ｔ）には、一般にエコー信号の残りが含まれる。この残差信号をｅr（ｔ）とすると、ｒ'（ｔ）＝ｒ（ｔ）＋ｅr（ｔ）と記述することができる。
【００２１】
次に、エコー信号推定部１２は、信号取込部１０から入力された受話音声信号ｓ^（ｔ）＋ｒ（ｔ）からエコーキャンセラーアルゴリズム部１１の出力信号ｒ'（ｔ）＝ｒ（ｔ）＋ｅr（ｔ）を引いた信号Ｓ^'（ｔ）＝ｓ^（ｔ）−ｅr（ｔ）を出力する。この信号Ｓ^'（ｔ）には、エコーキャンセラーアルゴリズム部１１の推定誤差（−ｅr（ｔ））が含まれる。すなわち、信号Ｓ^'（ｔ）は、エコーキャンセラーアルゴリズム部１１が推定したエコー信号ｓ^（ｔ）の推定値と同じものである。なお、エコーキャンセラーアルゴリズム部１１からエコー信号ｓ^（ｔ）の推定値を直接出力できない理由は、本実施の形態では汎用のエコーキャンセラーアルゴリズムを使用しており、一般にエコーキャンセラーアルゴリズムはエコー信号ｓ^（ｔ）の推定値を差し引いた信号ｒ'（ｔ）を出力するからである。
【００２２】
遅延時間計算部１３は、ＩＰ電話端末装置２から受信した送話音声信号ｓ（ｔ）がＩＰネットワーク４とＩＰ電話端末装置３の２ｗ−４ｗハイブリッド回路３２を経由してエコー品質測定装置１に戻ってくるまでの遅延時間を計算する。遅延時間計算部１３は、エコーキャンセラーアルゴリズム部１１から入力された送話音声信号ｓ（ｔ）とエコー信号推定部１２から入力されたエコー信号の推定値Ｓ^'（ｔ）との間の相互相関係数を計算し、相互相関係数が最大となる時間を求めることにより、遅延時間を計算する。
【００２３】
パワー比計算部１４は、エコーキャンセラーアルゴリズム部１１から入力された送話音声信号ｓ（ｔ）とエコー信号推定部１２から入力されたエコー信号の推定値Ｓ^'（ｔ）と遅延時間計算部１３によって計算された遅延時間の値を入力とし、遅延時間の値に基づいて、送話音声信号ｓ（ｔ）とエコー信号の推定値Ｓ^'（ｔ）とを両者の同期がとれた状態（遅延時間が零の状態）にした上で、送話音声信号ｓ（ｔ）とエコー信号の推定値Ｓ^'（ｔ）のパワー比を計算し、このパワー比をエコー量として出力する。
【００２４】
エコー品質は、遅延時間によって左右される。例えば同じエコー量であっても遅延時間が短い場合は電話機側音（話者のハンドセットから自分が話した音声が聞こえる）と同様に感じられ、通話への妨害感が少なくなるという特性がある。そこで、エコー品質計算部１５には、遅延時間及びエコー量と、エコー品質との関係が数式やテーブルの形式で予め登録されている。エコー品質計算部１５は、遅延時間計算部１３によって計算された遅延時間の値とパワー比計算部１４によって計算されたエコー量を入力とし、予め内部に用意された数式又はテーブルにより、遅延時間を考慮したエコー品質を計算して出力する。
【００２５】
品質レポートフォーマット作成部１６は、エコー品質計算部１５によって計算されたエコー品質の値を、ＩＥＴＦ（Internet Engineering Task Force ）のＲＦＣ（Request For Comment）３６１１で規定されているＲＴＣＰ−ＸＲ（RTP Control Protocol-Extended Reports）パケットフォーマットに従ってパケット化し、ＲＴＣＰ−ＸＲパケットとして出力する。このＲＴＣＰ−ＸＲパケットは、ＩＰネットワーク５を経由して品質管理端末装置６へ送られる。
【００２６】
図２は品質管理端末装置６の構成例を示すブロック図である。品質管理端末装置６は、信号取込部６０と、記憶部６１と、表示部６２とを有する。
品質管理端末装置６の信号取込部６０は、ＩＰネットワーク５から受信したＲＴＣＰ−ＸＲパケットを復号して、エコー品質の情報を取り出す。記憶部６１は、信号取込部６０が取り出したエコー品質の情報を記憶する。表示部６２は、記憶部６１に格納されたエコー品質の値を表示する。
【００２７】
品質管理端末装置６には、エコー品質測定装置１から時々刻々と変化するエコー品質の値が通知されるので、品質管理端末装置６の監視員は、表示部６２の画面を見て、時々刻々と変化する送話者エコー品質を監視することができる。この監視の結果、エコー品質が所定のしきい値を超えて悪化した場合は、利用者に対して通話の妨害感が少ないサービスを提供するために、例えば発呼規制をかけるなどの対策をとることが可能である。
【００２８】
以上のように、本実施の形態では、エコー信号の推定に既存のエコーキャンセラーアルゴリズムを利用しているため、ＩＰ電話端末装置を改造することなく、かつ複雑な機器を必要とせずに、送話者が通話中に実感するエコー品質と良く合致した送話者エコー品質を測定することができる。その結果、本実施の形態では、通話サービスを中断したり妨害したりすることなく、送話者が通話中に実感するエコー品質を随時知ることができる。
【００２９】
なお、エコー品質測定装置１と品質管理端末装置６とは、それぞれＣＰＵ、記憶装置および外部とのインタフェースを備えたコンピュータとこれらのハードウェア資源を制御するプログラムによって実現することができる。このようなコンピュータにおいて、本発明のエコー品質測定方法を実現させるためのエコー品質測定プログラムは、フレキシブルディスク、ＣＤ−ＲＯＭ、ＤＶＤ−ＲＯＭ、メモリカードなどの記録媒体に記録された状態で提供される。ＣＰＵは、記録媒体から読み込んだプログラムを記憶装置に書き込み、プログラムに従って本実施の形態で説明した処理を実行する。
【産業上の利用可能性】
【００３０】
本発明は、音声通話の品質を測定する技術に適用することができる。
【図面の簡単な説明】
【００３１】
【図１】本発明の実施の形態に係るエコー品質測定システムの構成例を示すブロック図である。
【図２】本発明の実施の形態に係る品質管理端末装置の構成例を示すブロック図である。
【符号の説明】
【００３２】
１…エコー品質測定装置、２，３…ＩＰ電話端末装置、４，５…ＩＰネットワーク、６…品質管理端末装置、１０…信号取込部、１１…エコーキャンセラーアルゴリズム部、１２…エコー信号推定部、１３…遅延時間計算部、１４…パワー比計算部、１５…エコー品質計算部、１６…品質レポートフォーマット作成部、２０，３０…マイクロフォン、２１，３１…スピーカー、２２，３２…２ｗ−４ｗハイブリッド回路、２３，３３…加算器、６０…信号取込部、６１…記憶部、６２…表示部。
【図１】
2007329630.tif 000003
【図２】
2007329630.tif 000004